(57)【要約】【課題】バッグなどを構成する収納体において、開口部の閉じ合わせを解くことに伴って、この開口部をいわば自動的に大きく広げ出させるようにする。【解決手段】二枚の保形板体１ｃ、１ｃの間を屈曲中心線ｘとして屈曲可能に構成された底面部１と、底面部１とによって収納空間Ｂ’を形成させる収納空間形成面部２とを有している。収納空間形成面部２には、底面部１の一側縁部１ａと他側縁部１ｂ間に亘って開口部２ａが形成されている。開口部２ａの一方下端２ｃが底面部１の一側縁部１ａにおいて屈曲中心線ｘ上にほぼ位置され、かつ、開口部２ａの他方下端２ｄが底面部１の他側縁部１ｂにおいて屈曲中心線ｘ上にほぼ位置されている。底面部１には開口部２ａを閉じ合わせた状態において弾性変形させられて二枚の保形板体１ｃ、１ｃにそれぞれ、屈曲中心線ｘに向けられた側を上方にして傾斜させる向きの力を作用させるバネ体３が備えられている。【選択図】　　　　図２
2004033489.tif 000002
【特許請求の範囲】
【請求項１】
隣り合う二枚の保形板体によって保形されていると共に、この二枚の保形板体の間を屈曲中心線として屈曲可能に構成された底面部と、
この底面部とによって収納空間を形成させる収納空間形成面部とを有しており、
この収納空間形成面部には、底面部の一側縁部と、この一側縁部に対向する他側縁部間に亘って、この収納空間形成面部を二つに区分する開口部が形成されていると共に、
この開口部の一方下端が底面部の一側縁部において前記屈曲中心線上にほぼ位置され、
かつ、この開口部の他方下端が底面部の他側縁部において前記屈曲中心線上にほぼ位置されており、
前記開口部は、ファスナーなどの閉じ合わせ手段によって開放可能に閉じ合わされるようになっていると共に、
前記底面部には、この開口部を閉じ合わせた状態において弾性変形させられて、前記二枚の保形板体にそれぞれ、前記屈曲中心線に向けられた側を上方にして傾斜させる向きの力を作用させるバネ体が備えられていることを特徴とするバッグなどとなる収納体。
【請求項２】
バネ体が、底面部の一側縁部側と、この一側縁部に対向する他側縁部側とにそれぞれ設けられていることを特徴とする請求項１記載のバッグなどとなる収納体。
【請求項３】
バネ体が、バネ一端を二枚の保形板体の一方に止め付けさせ、かつ、バネ他端を二枚の保形板体の他方に止め付けさせると共に、バネ中央部に向かうに連れて上方に張り出すように成形された金属棒状体によって構成してあることを特徴とする請求項１又は請求項２記載のバッグなどとなる収納体。
【発明の詳細な説明】
【０００１】
【発明の属する技術分野】
この発明は、バッグなどとして用いられる収納体の改良に関する。
【０００２】
【従来の技術】
ファスナーによって閉じ合わされる開口部を備えたバックにあっては、このファスナーの閉じ合わせを解いてその内部からの収納物の取り出し、あるいは、その内部への収納物の納め入れをなすこととなる。
【０００３】
【発明が解決しようとする課題】
しかるに、従来のこの種のバッグにおいては、前記ファスナーの閉じ合わせの解除は、単にその開口部の封止状態を解除させるに留まるものであり、比較的大きめの収納物をバッグから取り出し、あるいは、バッグに納め入れるためには、このように封止状態が解除された開口部をより大きく広げ出させる操作をすることが余儀なくされるところであった。特に、収納物がバッグの収納空間のかなりの部分を占めるような大きさを持っている場合は、収納物の取り出しなどが済むまでこのような操作を継続しながら収納物の取り出しなどをせざるを得ないところであった。
【０００４】
そこでこの発明は、この種のバッグなどを構成する収納体において、開口部の閉じ合わせを解くことに伴って、この開口部をいわば自動的に大きく広げ出させ、もって、このように広げ出された開口部を通じた収納物の取り出し、あるいは、納め入れを容易に行えるようにすることを主たる目的としている。
【０００５】
【課題を解決するための手段】
前記目的を達成するために、請求項１記載の発明にあっては、バッグなどとなる収納体が以下の（１）〜（６）の構成を備えたものとした。
（１）隣り合う二枚の保形板体によって保形されていると共に、この二枚の保形板体の間を屈曲中心線として屈曲可能に構成された底面部と、
（２）この底面部とによって収納空間を形成させる収納空間形成面部とを有しており、
（３）この収納空間形成面部には、底面部の一側縁部と、この一側縁部に対向する他側縁部間に亘って、この収納空間形成面部を二つに区分する開口部が形成されていると共に、
（４）この開口部の一方下端が底面部の一側縁部において前記屈曲中心線上にほぼ位置され、
かつ、この開口部の他方下端が底面部の他側縁部において前記屈曲中心線上にほぼ位置されており、
（５）前記開口部は、ファスナーなどの閉じ合わせ手段によって開放可能に閉じ合わされるようになっていると共に、
（６）前記底面部には、この開口部を閉じ合わせた状態において弾性変形させられて、前記二枚の保形板体にそれぞれ、前記屈曲中心線に向けられた側を上方にして傾斜させる向きの力を作用させるバネ体が備えられている。
【０００６】
かかる構成によれば、前記開口部の閉じ合わせを解くことにより、底面部を、前記屈曲中心線を中心として、この屈曲中心線の側を上方に突き出させるように屈曲させることができる。
【０００７】
このように底面部が屈曲されると、屈曲中心線を挟んだ一方側における底面部と側面部（収納空間形成面部のうち収納体の側部にある面部）との連接箇所と、屈曲中心線を挟んだ他方側における底面部と側面部との連接箇所との間の間隔が狭められることから、これに伴って、屈曲中心線を挟んだ両側にある側面部は収納体の上部側に近付けば近付くほど他方の側面部から離れ出すように開き出され、したがってまた、開口部も収納体の上部側に近付けば近付くほど大きく開き出される。
【０００８】
すなわち、かかる収納体にあっては、開口部の閉じ合わせを解くことを契機として、この開口部を大きく開き出させることができ、この開口部を通じた収納物の取り出し、あるいは、収納物の納め入れを、容易になさせることができる。
【０００９】
また、このように開口部を開き出させた状態から、この開口部を閉じ合わさせると、前記バネ体に前記力が蓄えられると共に、前記屈曲中心線を挟んだ一方側における底面部と側面部との連接箇所と、屈曲中心線を挟んだ他方側における底面部と側面部との連接箇所との間の間隔が広げられることから、二枚の保形板体は屈曲中心線に向けられた側を下方に下げ降ろさせることとなり、底面部の前記屈曲が解かれる。
【００１０】
また、請求項２記載の発明にあっては、請求項１記載のバッグなどとなる収納体におけるバネ体が、底面部の一側縁部側と、この一側縁部に対向する他側縁部側とにそれぞれ設けられていることを特徴としている。
【００１１】
かかる構成によれば、前記屈曲中心線を中心として底板部を開口部の一方下端側と他方下端側とにおいてそれぞれバネ体によって前記のように屈曲させることができ、かかる開口部を全体として大きく開き出させることができる。
【００１２】
また、請求項３記載の発明にあっては、請求項１又は請求項２記載のバッグなどとなるバネ体が、バネ一端を二枚の保形板体の一方に止め付けさせ、かつ、バネ他端を二枚の保形板体の他方に止め付けさせると共に、バネ中央部に向かうに連れて上方に張り出すように成形された金属棒状体によって構成してあることを特徴としている。
【００１３】
かかる構成によれば、前記開口部を閉じ合わせた状態においては、このバネ体のバネ一端とバネ他端との間の間隔を広げさせて、このバネ体にこのバネ体のバネ一端とバネ他端との間の間隔を狭めさせる向きの力を蓄えさせることができる。
【００１４】
また、このように前記開口部を閉じ合わせた状態からこの開口部の閉じ合わせを解くことにより、このバネ体の弾性復帰によってこのバネ体のバネ一端とバネ他端との間の間隔を狭めさせることができ、この弾性復帰により二枚の保形板体を前記のように傾斜させて、底面部を前記屈曲中心線を中心として折り曲げさせ、開口部を大きく開き出させることができる。
【００１５】
【発明の実施の形態】
以下、図１ないし図５に基づいて、この発明の典型的な実施の形態について説明する。
【００１６】
なお、ここで図１は、実施の形態にかかる収納体Ｂを利用して構成された手提げバッグの一例を示しており、また、図２は、この収納体Ｂの開口部２ａの閉じ合わせを解いた状態を示している。また、図３は、かかる収納体Ｂの要部を断面にして示している。また、図４は、かかる収納体Ｂの底面部１の構成を理解しやすいように、この底面部１を構成する各部材を分離して示している。また、図５は、この底面部１を保形する保形板体１ｃのみを表している。
【００１７】
この実施の形態にかかる収納体Ｂは、バッグなどとして用いられるものである。例えば、図１に示されるように、手提げとなる帯状体Ｔなどが備え付けられて、手提げバッグなどとして用いることができるものである。
【００１８】
かかる収納体Ｂは、底面部１と、この底面部１との間に収納空間Ｂ’を形成させる収納部形成面部２とを有している。図示の例では、かかる収納部形成面部２は、側面部２’及び上面部２”とから構成されている。
【００１９】
また、かかる収納部形成面部２、すなわち、前記側面部２’及び上面部２”には、底面部１の一側縁部１ａと、この一側縁部１ａに対向する他側縁部１ｂ間に亘って、この側面部２’及び上面部２”を二つに区分する開口部２ａが形成されている。
【００２０】
また、かかる開口部２ａは、ファスナー２ｂ’などの閉じ合わせ手段２ｂによって開放可能に閉じ合わされるようになっている。
【００２１】
これにより、かかる収納体Ｂにあっては、開口部２ａの閉じ合わせを解くことにより、収納空間Ｂ’に収納された収納物をこの開口部２ａを通じて取り出すことができる。また、このように閉じ合わせを解かれた開口部２ａを通じて収納空間Ｂ’に収納物を入れ込んだ後、この開口部２ａを閉じ合わせることにより、収納物を収納させた状態を維持することができる。
【００２２】
また、かかる収納体Ｂにおける底面部１は、隣り合う二枚の保形板体１ｃ、１ｃによって保形されている。かかる二枚の保形板体１ｃ、１ｃは、常時、隣り合う他方の保形板体１ｃとの間に一定の隙間１ｆを形成させるように、この底面部１に備えさせられている。
【００２３】
図示の例にあっては、底面部１は、二つの長辺と、二つの短辺とを備えたほぼ長方形状の面部となるように構成されている。そして、このように構成される底面部１を構成する内外の生地１ｇ、１ｇ内に、二枚の保形板体１ｃ、１ｃが納められている。かかる二枚の保形板体１ｃ、１ｃはそれぞれ、底面部１を構成するかかる生地１ｇに対して止着されている。
【００２４】
かかる二枚の保形板体１ｃ、１ｃは、それぞれ、底面部１の長辺よりもやや短い二つの長辺と、底面部１の短辺のほぼ二分の一の長さを持つ二つの短辺とを備えたほぼ長方形の板状をなすように構成されている。そして図示の例にあっては、このように構成される二枚の保形板体１ｃ、１ｃを、一方の保形板体１ｃの一方の長辺と、他方の保形板体１ｃの一方の長辺とが底面部１の幅方向ほぼ中程の位置において互いに隣り合うようにしてこの底面部１内に納めることにより、かかる二枚の保形板体１ｃ、１ｃによってかかる底面部１を保形するようにしている。
【００２５】
すなわち、かかる底面部１は、この二枚の保形板体１ｃ、１ｃの間を屈曲中心線ｘとして屈曲することができるように構成されている。
【００２６】
また、図示の例にあっては、
底面部１の長辺とほぼ同じ長さを有する下辺及び上辺を有すると共に、下辺を底面部１の長辺に沿わせた状態でこの長辺部分において底面部１を構成する生地１ｇに下辺を一体に止着された一対の側部生地２ｅと、
底面部１の短辺とほぼ同じ長さを有する一方下辺及び他方下辺を有すると共に、この一方下辺を底面部１の一方の短辺に沿わせた状態でこの一方の短辺部分において底面部１を構成する生地１ｇにこの一方下辺を一体に止着させ、
かつ、この他方下辺を底面部１の他方の短辺に沿わせた状態でこの他方の短辺部分において底面部１を構成する生地１ｇにこの他方下辺を一体に止着させた中間生地２ｆとを有している。
【００２７】
そして、図示の例にあっては、一対の側部生地２ｅの一方における下辺を除く縁部を中間生地２ｆの一方下辺と他方下辺との間にある縁部の一方に一体に止着させると共に、
一対の側部生地２ｅの他方における下辺を除く縁部を中間生地２ｆの一方下辺と他方下辺との間にある縁部の他方に一体に止着させることにより、前記側面部２’および上面部２”を形成させている。
【００２８】
また、図示の例にあっては、前記開口部２ａは、かかる中間生地２ｆを左右に二分するようにして形成されている。具体的には、かかる開口部２ａは、その一方下端２ｃを中間生地２ｆの一方下辺のほぼ中程の位置に位置させると共に、その他方下端２ｄを中間生地２ｆの他方下辺のほぼ中程の位置に位置させるように形成されている。
【００２９】
そして、かかる開口部２ａの一方下端２ｃが底面部１の一側縁部１ａ（図示の例では底面部１の一方の短辺部分）において前記屈曲中心線ｘ上にほぼ位置され、
かつ、この開口部２ａの他方下端２ｄが底面部１の他側縁部１ｂ（図示の例では底面部１の他方の短辺部分）において前記屈曲中心線ｘ上にほぼ位置されるようになっている。
【００３０】
また、図示の例では、かかる開口部２ａに臨む一方縁部にファスナー２ｂ’の一方の務歯部が、また、かかる開口部２ａに臨む他方縁部にファスナー２ｂ’の他方の務歯部が設けられており、このように備えられるファスナー２ｂ’によって前記閉じ合わせ手段２ｂを構成させている。
【００３１】
そして、前記側面部２’および上面部２”は、かかる開口部２ａを閉じ合わせた状態において、その面部に撓みを生じさせないように構成されている。すなわち、かかる側面部２’および上面部２”によって開口部２ａを閉じ合わせた状態において、収納体Ｂは所定の形状を保つように保形されるようになっている。
【００３２】
また、前記底面部１には、この開口部２ａを閉じ合わせた状態において弾性変形させられて、前記二枚の保形板体１ｃ、１ｃにそれぞれ、前記屈曲中心線ｘに向けられた側を上方にして傾斜させる向きの力を作用させるバネ体３が備えられている。
【００３３】
図示の例では、かかるバネ体３は、底面部１を構成する内側の生地１ｇと保形板体１ｃとの間に納められている。
【００３４】
これにより、この実施の形態にかかる収納体Ｂにあっては、前記開口部２ａの閉じ合わせを解くことにより、底面部１を、前記屈曲中心線ｘを中心として、この屈曲中心線ｘの側を上方に突き出させるように屈曲させることができる。
【００３５】
このように底面部１が屈曲されると、屈曲中心線ｘを挟んだ一方側における底面部１と側面部２’との連接箇所４と、屈曲中心線ｘを挟んだ他方側における底面部１と側面部２’との連接箇所４との間の間隔が狭められることから、これに伴って、屈曲中心線ｘを挟んだ両側にある側面部２’は収納体Ｂの上面部２”に近付けば近付くほど他方の側面部２’から離れ出すように開き出され、したがってまた、開口部２ａも収納体Ｂの上面部２”に近付けば近付くほど大きく開き出される。
【００３６】
すなわち、かかる収納体Ｂにあっては、開口部２ａの閉じ合わせを解くことを契機として、この開口部２ａを大きく開き出させることができ、この開口部２ａを通じた収納物の取り出し、あるいは、収納物の納め入れを、容易になさせることができる。
【００３７】
また、このように開口部２ａを開き出させた状態から、この開口部２ａを閉じ合わさせると、前記バネ体３に前記力が蓄えられると共に、前記屈曲中心線ｘを挟んだ一方側における底面部１と側面部２’との連接箇所４と、屈曲中心線ｘを挟んだ他方側における底面部１と側面部２’との連接箇所４との間の間隔が広げられることから、二枚の保形板体１ｃ、１ｃは屈曲中心線ｘに向けられた側を下方に下げ降ろさせることとなり、底面部１の前記屈曲が解かれる。
【００３８】
また、この実施の形態にあっては、かかるバネ体３が、底面部１の一側縁部１ａ側と、この一側縁部１ａに対向する他側縁部１ｂ側とにそれぞれ設けられている。
【００３９】
すなわち、かかるバネ体３が、開口部２ａの一方下端２ｃ側と他方下端２ｄ側とにそれぞれ設けられている。
【００４０】
これにより、この実施の形態にあっては、前記屈曲中心線ｘを中心として底板部を開口部２ａの一方下端２ｃ側と他方下端２ｄ側とにおいてそれぞれバネ体３によって前記のように屈曲させることができ、かかる開口部２ａを全体として大きく開き出させることができる。
【００４１】
また、この実施の形態にあっては、バネ体３が、バネ一端３ａを二枚の保形板体１ｃ、１ｃの一方に止め付けさせ、かつ、バネ他端３ｂを二枚の保形板体１ｃ、１ｃの他方に止め付けさせると共に、バネ中央部３ｃに向かうに連れて上方に張り出すように成形された金属棒状体によって構成してある。
【００４２】
これにより、この実施の形態にあっては、前記開口部２ａを閉じ合わせた状態においては、このバネ体３のバネ一端３ａとバネ他端３ｂとの間の間隔を広げさせて、このバネ体３にこのバネ体３のバネ一端３ａとバネ他端３ｂとの間の間隔を狭めさせる向きの力を蓄えさせることができる。
【００４３】
また、このように前記開口部２ａを閉じ合わせた状態からこの開口部２ａの閉じ合わせを解くことにより、このバネ体３の弾性復帰によってこのバネ体３のバネ一端３ａとバネ他端３ｂとの間の間隔を狭めさせることができ、この弾性復帰により二枚の保形板体１ｃ、１ｃを前記のように傾斜させて、底面部１を前記屈曲中心線ｘを中心として折り曲げさせ、開口部２ａを大きく開き出させることができる。
【００４４】
具体的には、図示の例にあっては、かかるバネ体３は、平面視の状態において、バネ中央部３ｃを、山形状に屈曲させている。すなわち、バネ中央部３ｃの屈曲頂端３ｄを、バネ一端３ａとバネ他端３ｂとを通る仮想の線分から、側方に離れ出させるように、このバネ中央部３ｃを山形状に屈曲させている。また、このバネ中央部３ｃの屈曲頂端３ｄとバネ一端３ａとバネ他端３ｂをほぼ同一の平面上に位置づけさせた状態において、このバネ中央部３ｃの屈曲基部３ｅ側を上方に位置させるように成形されている。
【００４５】
そして、図示の例にあっては、このように成形させたバネ体３のバネ一端３ａを、二枚の保形板体１ｃ、１ｃの一方を貫通して底面部１に止め付けられるネジ体５を通じてこの保形板体１ｃの一方に止め付けさせると共に、
このように成形させたバネ体３のバネ他端３ｂを、二枚の保形板体１ｃ、１ｃの他方を貫通して底面部１に止め付けられるネジ体５を通じてこの保形板体１ｃの他方に止め付けさせるようにしている。
【００４６】
また、バネ体３のバネ中央部３ｃの屈曲頂端３ｄを、二枚の保形板体１ｃ、１ｃの間において、底面部１に止め付けられるネジ体５を通じて、この底面部１に止め付けるようにしている。
【００４７】
なお、図示の例にあっては、二枚の保形板体１ｃ、１ｃは、連接片１ｄにより、その隣り合う辺（図示の例では長辺）部において、他方の保形板体１ｃの隣り合う辺との間に間隔を開けた状態で、連接され合わされるように形成されている。図示の例では、二枚の保形板体１ｃの一方における他方の保形板体１ｃに隣り合う側にある短辺と長辺との接し合うコーナー部１ｅと、二枚の保形板体１ｃの他方における一方の保形板体１ｃに隣り合う側にある短辺と長辺との接し合うコーナー部１ｅとの間に亘って、かかる連接片１ｄが形成されている。図示の例では、前記バネ体３の付勢により、この連接片１ｄを弾性的に撓ませて、この連接片１ｄをヒンジとして機能させるようにして、保形板体１ｃは前記屈曲中心線ｘに向けられた側を上方にして傾斜するようになっている。
【００４８】
【発明の効果】
この発明にかかるバッグなどとなる収納体によれば、開口部の閉じ合わせを解くことに伴って、この開口部をいわば自動的に大きく広げ出させることができ、このように広げ出された開口部を通じて、収納物の取り出し、あるいは、納め入れを容易に行うことができる。
【図面の簡単な説明】
【図１】収納体Ｂを利用して構成された手提げバッグの斜視構成図
【図２】同斜視構成図
【図３】同要部断面構成図
【図４】同要部分離斜視図
【図５】保形板体１ｃの斜視構成図
【符号の説明】
１　底面部
１ａ　一側縁部
１ｂ　他側縁部
１ｃ　保形板体
２　収納部形成面部
２ａ　開口部
２ｂ　閉じ合わせ手段
２ｂ’　ファスナー
３　バネ体
ｘ　屈曲中心線
【図１】
2004033489.tif 000003
【図２】
2004033489.tif 000004
【図３】
2004033489.tif 000005
【図４】
2004033489.tif 000006
【図５】
2004033489.tif 000007